(57)【要約】【課題】最小限の操作で切り替えが行え、また、ストリームの選択を直感的に行えるユーザー操作性に優れた映像・音声フォーマット再生装置及び映像・音声フォーマット再生方法を提供する。【解決手段】同一時間に再生可能となるように配置された複数のオーディオストリームと、前記オーディオストリームのユーザー選択を可能にするオーディオメニューとを含む映像・音声フォーマットで記録された光ディスクの再生を行う場合に、任意のオーディオストリームの再生状態から前記オーディオメニューの表示状態へ直接移行させ、その後ユーザーによりオーディオストリームが選択された時点でオーディオメニュー表示直前の再生位置から再生を再開させる。また、オーディオメニューを表示しなくても、任意のオーディオストリームをユーザーが直接指定することを可能にする。【選択図】図３
2010015687.tif 000002
【特許請求の範囲】
【請求項１】
映像・音声フォーマット内の情報を電気信号に変換する読み出し手段と、読み出し手段によって読み出された情報から映像・音声を復調する映像・音声再生手段と、読み出し手段によって読み出された情報から映像・音声情報を再生するための管理情報および再生する映像・音声データを制御するための映像・音声データ管理情報を記憶する管理情報記憶手段と、再生する映像・音声データの制御を行う再生映像・音声データ制御手段と、ユーザーからの入力を伝達する入力手段と、を備え、同一時間に再生可能となるように配置された複数のオーディオストリーム若しくはサブピクチャストリーム又はアングルを含む映像・音声フォーマットで記録された光ディスクの再生を行う映像・音声フォーマット再生装置であって、任意の状態からユーザ指定言語のオーディオストリーム又はサブピクチャストリームに切り替えるための切り替え手段を有する映像・音声フォーマット再生装置。
【請求項２】
前記切り替え手段は、前記別のオーディオストリーム又はサブピクチャストリームに切り替えを行う際、オーディオストリーム又はサブピクチャストリームが単一である場合には、その旨をユーザーに報知してオーディオストリーム又はサブピクチャストリームの切り替えを行わない請求項１記載の映像・音声フォーマット再生装置。
【請求項３】
同一時間に再生可能となるように配置された複数のオーディオストリーム若しくはサブピクチャストリーム又はアングルを含む映像・音声フォーマットで記録された光ディスクの再生を行う映像・音声フォーマット再生方法であって、任意の状態からユーザ指定言語のオーディオストリーム又はサブピクチャストリームに切り替えるための切り替えステップを有する映像・音声フォーマット再生方法。
【請求項４】
前記切り替えステップは、前記別のオーディオストリーム又はサブピクチャストリームに切り替えを行う際、オーディオストリーム又はサブピクチャストリームが単一である場合には、その旨をユーザーに報知してオーディオストリーム又はサブピクチャストリームの切り替えを行わない請求項３記載の映像・音声フォーマット再生方法。
【請求項５】
同一時間に再生可能となるように配置された複数のオーディオストリーム若しくはサブピクチャストリーム又はアングルを含む映像・音声フォーマットで記録された光ディスクの再生を行う映像・音声フォーマット再生装置における各手順をコンピュータに実行させるためのプログラムであって、任意の状態からユーザ指定言語のオーディオストリーム又はサブピクチャストリームに切り替えるための切り替えステップをコンピュータに実行させるためのプログラム。
【請求項６】
前記切り替えステップは、前記別のオーディオストリーム又はサブピクチャストリームに切り替えを行う際、オーディオストリーム又はサブピクチャストリームが単一である場合には、その旨をユーザーに報知してオーディオストリーム又はサブピクチャストリームの切り替えを行わない請求項５記載のプログラム。
【発明の詳細な説明】
【技術分野】
【０００１】
本発明は、ユーザー操作性に優れた映像・音声フォーマット再生装置、映像・音声フォーマット再生方法及びプログラムに関する。
【背景技術】
【０００２】
近年の家電製品は、高機能化・多機能化が進展している。新しい技術を応用して新機能を付加することは、商品の使い勝手が向上する反面、操作が複雑となり、特に高齢者等にとっては逆に使いにくいものとなる場合がある（例えば、非特許文献１参照）。また、高齢者に限らず、全ての消費者にとって、製品の「使いやすさ」が新たな付加価値として認知されてきている（例えば、非特許文献２参照）。
【先行技術文献】
【非特許文献】
【０００３】
【非特許文献１】経済企画庁、”平成６年国民生活白書  実りある長寿社会に向けて”、平成６年１１月１８日[平成１６年９月２５日検索]、インターネット＜URL: http://wp.cao.go.jp/zenbun/seikatsu/wp-pl94/wp-pl94-02202.html＞
【非特許文献２】（社）ビジネス器械・情報システム産業協会  技術委員会  ヒューマンセンタードデザイン小委員会、”商品計画フェーズにおける人間中心設計（ＨＣＤ）プロセスとＨＣＤプロセスの導入効果”、平成１６年５月  [平成１６年９月２５日検索]、インターネット＜URL: http://www.jbmia.or.jp/~tc/rep-hcd0405.pdf＞
【発明の概要】
【発明が解決しようとする課題】
【０００４】
例えば、光ディスクなどの情報記録媒体に記録された映像・音声データを再生する映像・オーディオ機器などにおいても、操作性の良好な製品が求められている。情報記録媒体において、同一時間に再生可能なオーディオストリームが複数存在する場合、タイトルドメイン再生中のオーディオストリーム選択方法として、従来、次の２つの方法がある。
【０００５】
第１は、タイトルドメイン再生から、ルートメニュー表示、オーディオメニュー表示、オーディオ選択、ルートメニュー表示、タイトルドメイン再生、の順に行う方法、第２は、ＡｕｄｉｏＳｔｒｅａｍＣｈａｎｇｅコマンドによる方法である。
【０００６】
しかしながら、上記第１の方法は、タイトルドメイン再生に戻るまでの操作手順が煩雑で、ユーザー操作性がよくないという欠点があった。また、第２の方法は、ダイレクトな操作ではあるが、選択可能なオーディオの種類が視覚的にわかりにくく、また同一ボタンの押下等による操作であるため、一般的にストリーム番号を１つずつ順番に切り替えることしかできないという欠点があった。
【０００７】
本発明は、ストリームの選択を直感的に行えるユーザー操作性に優れた映像・音声フォーマット再生装置、映像・音声フォーマット再生方法及びプログラムを提供することを目的とする。
【課題を解決するための手段】
【０００８】
また、本発明の映像・音声フォーマット再生装置は、映像・音声フォーマット内の情報を電気信号に変換する読み出し手段と、読み出し手段によって読み出された情報から映像・音声を復調する映像・音声再生手段と、読み出し手段によって読み出された情報から映像・音声情報を再生するための管理情報および再生する映像・音声データを制御するための映像・音声データ管理情報を記憶する管理情報記憶手段と、再生する映像・音声データの制御を行う再生映像・音声データ制御手段と、ユーザーからの入力を伝達する入力手段と、を備え、同一時間に再生可能となるように配置された複数のオーディオストリーム若しくはサブピクチャストリーム又はアングルを含む映像・音声フォーマットで記録された光ディスクの再生を行う映像・音声フォーマット再生装置であって、任意の状態からユーザ指定言語のオーディオストリーム又はサブピクチャストリームに切り替えるための切り替え手段を有する。上記構成によれば、オーディオストリーム又はサブピクチャストリームを直感的に選択し、最小限の操作でストリームの切り替えを行うことができる。
【０００９】
また、本発明において、前記切り替え手段は、前記別のオーディオストリーム又はサブピクチャストリームに切り替えを行う際、オーディオストリーム又はサブピクチャストリームが単一である場合には、その旨をユーザーに報知してオーディオストリーム又はサブピクチャストリームの切り替えを行わない。上記構成によれば、ユーザーは、オーディオストリームの選択が行えないことを認識できる。
【００１０】
また、本発明の映像・音声フォーマット再生方法は、同一時間に再生可能となるように配置された複数のオーディオストリーム若しくはサブピクチャストリーム又はアングルを含む映像・音声フォーマットで記録された光ディスクの再生を行う映像・音声フォーマット再生方法であって、任意の状態からユーザ指定言語のオーディオストリーム又はサブピクチャストリームに切り替えるための切り替えステップを有する。上記方法によれば、オーディオストリーム又はサブピクチャストリームを直感的に選択し、最小限の操作でストリームの切り替えを行うことができる。
【００１１】
また、本発明において、前記切り替えステップは、前記別のオーディオストリーム又はサブピクチャストリームに切り替えを行う際、オーディオストリーム又はサブピクチャストリームが単一である場合には、その旨をユーザーに報知してオーディオストリーム又はサブピクチャストリームの切り替えを行わない。上記構成によれば、ユーザーは、オーディオストリーム又はサブピクチャストリームの選択が行えないことを認識できる。
【００１２】
本発明のプログラムは、同一時間に再生可能となるように配置された複数のオーディオストリームを含む映像・音声フォーマットで記録された光ディスクの再生を行う映像・音声フォーマット再生装置における各手順をコンピュータに実行させるためのプログラムであって、任意の状態からユーザ指定言語のオーディオストリーム又はサブピクチャストリームに切り替えるための切り替えステップをコンピュータに実行させる。上記方法によれば、オーディオストリーム又はサブピクチャストリームを直感的に選択し、最小限の操作でストリームの切り替えを行うことができる。
【００１３】
また、本発明において、前記切り替えステップは、前記別のオーディオストリーム又はサブピクチャストリームに切り替えを行う際、オーディオストリーム又はサブピクチャストリームが単一である場合には、その旨をユーザーに報知してオーディオストリーム又はサブピクチャストリームの切り替えを行わない。上記構成によれば、ユーザーは、オーディオストリーム又はサブピクチャストリームの選択が行えないことを認識できる。
【発明の効果】
【００１４】
本発明によれば、同一時間に再生可能となるように配置された複数のストリームを含む映像・音声フォーマットで記録された情報記録媒体の再生時等において、ストリームの選択肢を直感的に把握して、最小限の操作でストリームの切り替えを行うことができる。
【図面の簡単な説明】
【００１５】
【図１】本発明の実施の形態におけるＤＶＤ−Ｖｉｄｅｏディスク再生装置の構成を示すブロック図
【図２】入力手段の一例であるリモコンの外観を示す図
【図３】本発明の実施の形態におけるＤＶＤ−Ｖｉｄｅｏディスク再生装置の、ストリーム切り替え時のユーザー操作の概要を説明するための図
【図４】映像・音声フォーマットに記録された映像・音声データを再生するための管理情報のデータ構成を模式的に示す図
【図５】ＶＴＳＭ＿ＬＵ＿ＳＲＰのデータ構成を模式的に示す図
【図６】ＶＴＳＭ＿ＰＧＣＩ＿ＳＲＰのデータ構成を模式的に示す図
【図７】映像・音声フォーマットに記録された映像・音声データを再生するための管理情報のデータ構成を模式的に示す図
【図８】ＶＴＳ＿ＡＳＴ＿Ｎｓのデータ構成を模式的に示す図
【図９】ＶＴＳ＿ＡＳＴ＿ＡＴＲＴのデータ構成を模式的に示す図
【図１０】映像・音声フォーマット再生装置を制御するためのナビゲーション・パラメータのひとつであるシステムパラメータの構成を模式的に示す図
【図１１】本発明の実施の形態１におけるＤＶＤ−Ｖｉｄｅｏディスク再生装置の、オーディオストリーム切り替え処理手順を示すフローチャート
【図１２】本発明の実施の形態１におけるＤＶＤ−Ｖｉｄｅｏディスク再生装置の、オーディオメニュー再生処理手順を示すフローチャート
【図１３】オーディオストリーム切り替え時に、管理情報記憶手段に記憶した状態がタイトルドメイン再生中でない場合の処理手順を示すフローチャート
【図１４】オーディオストリーム切り替え時に、管理情報記憶手段に記憶した状態がタイトルドメイン再生中でない場合の別の処理手順を示すフローチャート
【図１５】オーディオストリームが単一である場合にオーディオメニュー表示要求が発生した際の処理手順を示すフローチャート
【図１６】オーディオメニューが存在しない場合にオーディオメニュー表示要求が発生した際の処理手順を示すフローチャート
【図１７】オーディオメニューが存在しない場合にオーディオメニュー表示要求が発生した際の別の処理手順を示すフローチャート
【図１８】本発明の実施の形態７におけるＤＶＤ−Ｖｉｄｅｏディスク再生装置の、オーディオストリーム指定時のオーディオストリーム切り替え処理手順を示すフローチャート
【図１９】ユーザーへの画面報知例を示す図
【発明を実施するための形態】
【００１６】
以下、添付図面を参照しながら本発明の実施形態に係る映像・音声フォーマット再生装置について詳細に説明する。尚、映像・音声フォーマット再生装置の一例として、以下では、ＤＶＤ−Ｖｉｄｅｏディスク再生装置を用いて説明する。
【００１７】
図１は、本発明の実施の形態におけるＤＶＤ−Ｖｉｄｅｏディスク再生装置の構成を示すブロック図である。
【００１８】
ＤＶＤ−Ｖｉｄｅｏディスク再生装置は、主に、映像・音声フォーマット２００内の情報を電気信号に変換する読み出し手段２１０、読み出し手段２１０によって読み出された映像・音声フォーマット２００内の情報から映像・音声を復調する映像・音声再生手段２２０、読み出し手段２１０によって読み出された映像・音声フォーマット２００内の情報から映像・音声情報を再生するための管理情報を記憶する管理情報記憶手段２３０、再生する映像・音声データの制御を行う再生映像・音声データ制御手段２７０、ユーザーからの入力を伝達する入力手段２６０、などで構成される。
【００１９】
管理情報記憶手段２３０は、更に、映像・音声フォーマット２００に記録されている映像・音声再生のための管理情報を格納する映像・音声属性情報用メモリ２４０、再生する映像・音声データを制御するための映像・音声データ管理情報用メモリ２５０、を含む。
【００２０】
図２は、入力手段２６０の一例であるリモコンの外観を示す図である。リモコンには、オーディオ（音声）メニューやサブピクチャ（字幕）メニュー、アングルメニュー等のメニュー画面などを表示させるためのメニュー画面エリア、音声を選択するための音声選択エリア、字幕を選択するための字幕選択エリア、アングルを選択するためのアングル選択エリア、などで構成される。
【００２１】
例えば、メニュー画面エリアの音声メニューキー３００を押下すると、音声メニューを表示させることができる。また、オーディオ（音声）ストリームを選択するための音声選択エリア３１０で、日本語キー３２０や英語キー３３０、その他のオーディオストリーム選択キー３４０、をそれぞれ押下すると、対応する音声ストリーム（即ち、対応する言語の音声）を直接選択することができる。
【００２２】
次に、上記構成のＤＶＤ−Ｖｉｄｅｏディスク再生装置の動作の概要を、従来と比較しながら説明する。図３は、本発明の実施の形態におけるＤＶＤ−Ｖｉｄｅｏディスク再生装置の、ストリーム切り替え時のユーザー操作の概要を説明するための図である。図には、比較のため従来のユーザー操作手順も記載している。
【００２３】
本発明の実施の形態におけるＤＶＤ−Ｖｉｄｅｏディスク再生装置では、例えば、オーディオストリームを英語に切り替える場合、タイトルドメイン再生中に、直接オーディオメニューへ移行し（ステップＳ１１０）、英語のオーディオストリームボタンを選択して（ステップＳ１１１）、オーディオストリームが決定すると、同時にタイトルドメインの再生も再開する（ステップＳ１１２）、という３段階のユーザー操作で切り替えが完了する。
【００２４】
一方、従来のＤＶＤ−Ｖｉｄｅｏディスク再生装置では、はじめにタイトルドメイン再生からルートメニューへ移行し（ステップＳ１００）、次にオーディオメニューボタンを選択し（ステップＳ１０１）、オーディオメニュー表示を決定して（ステップＳ１０２）、英語のオーディオストリームボタンを選択する（ステップＳ１０３）。次に、オーディオストリームを決定し（ステップＳ１０４）、ルートメニューへ移行して（ステップＳ１０５）、タイトルドメイン再生に戻るボタンを選択し（ステップＳ１０６）、最後にタイトルドメイン再生の再開を決定する（ステップＳ１０７）、という８段階のユーザー操作が必要であった。
【００２５】
このように、本発明の実施の形態におけるＤＶＤ−Ｖｉｄｅｏディスク再生装置によれば、例えばリモコンにオーディオストリームやサブピクチャストリームなどの選択肢のボタンを個別に設けることにより、ストリームの種類を直感的に把握して、少ない操作でストリームの切り替えを行うことができる。
【００２６】
ここで、ＤＶＤ−Ｖｉｄｅｏディスク再生装置で再生する映像・音声フォーマットに記録されている映像・音声データのデータ構成について説明する。
【００２７】
はじめに、図４は、映像・音声フォーマットに記録された映像・音声データを再生するための管理情報のデータ構成例を示す図である。管理情報は、各言語のビデオ・タイトル・セット・メニュー（ＶＴＳＭ）を再生するＶＴＳメニュー・プログラム・チェーン情報に関する情報を記述するテーブルが記録されているＶＴＳＭ＿ＰＧＣＩ＿ＵＴ４００、ＶＴＳＭ言語ユニットへのサーチポインタが記録されているＶＴＳＭ＿ＬＵ＿ＳＲＰ４１０、ＶＴＳＭのプログラム・チェーン情報へのサーチポインタが記録されているＶＴＳＭ＿ＰＧＣＩ＿ＳＲＰ４２０、ＶＴＳＭのプログラム・チェーン情報が記録されているＶＴＳＭ＿ＰＧＣＩ４３０、などで構成される。
【００２８】
次に、図５は、上述のＶＴＳＭ＿ＬＵ＿ＳＲＰ４１０のデータ構成を模式的に示す図である。ＶＴＳＭ＿ＬＵ＿ＳＲＰ４１０は、ビデオ・タイトル・セット・メニューの有無が記録されているＶＴＳＭ＿ＥＸＳＴ５００、ＶＴＳＭ＿ＥＸＳＴ５００の詳細内容のひとつであり、ルートメニューの有無が記録されているＲＯＯＴＭ＿ＥＸＳＴ５１０、オーディオメニューの有無が記録されているＡＭ＿ＥＸＳＴ５２０、ＲＯＯＴＭ＿ＥＸＳＴ５１０の定義内容５３０、ＡＭ＿ＥＸＳＴ５２０の定義内容５４０、などで構成される。
【００２９】
次に、図６は、上述のＶＴＳＭ＿ＰＧＣＩ＿ＳＲＰ４２０のデータ構成を模式的に示す図である。ＶＴＳＭ＿ＰＧＣＩ＿ＳＲＰ４２０は、ＰＧＣのカテゴリが記録されているＶＴＳＭ＿ＰＧＣ＿ＣＡＴ６００、ＶＴＳＭ＿ＰＧＣ＿ＣＡＴ６００の詳細内容のひとつであり、エントリＰＧＣか否かが記録されているＥｎｔｒｙ  ｔｙｐｅ６１０、ＶＴＳＭ＿ＰＧＣ＿ＣＡＴ６００の詳細内容のひとつであり、メニューの種類が記録されているＭｅｎｕ  ＩＤ６２０、Ｅｎｔｒｙ  ｔｙｐｅ６１０の定義内容６３０、Ｍｅｎｕ  ＩＤ６２０の定義内容６４０、などで構成される。
【００３０】
次に、図７は、映像・音声フォーマットに記録された映像・音声データを再生するための管理情報のデータ構成を模式的に示す図である。管理情報は、１個以上のビデオ・タイトルとＶＴＳメニューのための情報が記録されているＶＴＳＩ７００、ＶＴＳＩ７００内の各情報の先頭アドレス及びＶＴＳ内のＶＯＢＳの属性に関するテーブルを記録するＶＴＳＩ＿ＭＡＴ７１０、ＶＴＳＩ＿ＭＡＴ７１０の詳細内容のひとつであり、当該ＶＴＳ内のＶＴＳＴＴ＿ＶＯＢＳのオーディオストリーム数を記録するＶＴＳ＿ＡＳＴ＿Ｎｓ７２０、ＶＴＳＩ＿ＭＡＴ７１０の詳細内容のひとつであり、当該ＶＴＳ内のＶＴＳＴＴ＿ＶＯＢＳの各オーディオストリームの属性が記録されているＶＴＳ＿ＡＳＴ＿ＡＴＲＴ７３０、などで構成される。
【００３１】
次に、図８は、上述のＶＴＳ＿ＡＳＴ＿Ｎｓ７２０のデータ構成を模式的に示す図である。ＶＴＳ＿ＡＳＴ＿Ｎｓは、当該ＶＴＳ内のＶＴＳＴＴ＿ＶＯＢＳのオーディオストリーム数が記録されているＮｕｍｂｅｒ  ｏｆ  Ａｕｄｉｏ  ｓｔｒｅａｍｓ８００、Ｎｕｍｂｅｒ  ｏｆ  Ａｕｄｉｏ  ｓｔｒｅａｍｓ８００の定義内容８１０、などで構成される。
【００３２】
次に、図９は、上述のＶＴＳ＿ＡＳＴ＿ＡＴＲＴ７３０のデータ構成を模式的に示す図である。ＶＴＳ＿ＡＳＴ＿ＡＴＲＴは、当該ＶＴＳ内のＶＴＳＴＴ＿ＶＯＢＳの特定のオーディオストリームの属性が記録されているＶＴＳ＿ＡＳＴ＿ＡＴＲ９００、ＶＴＳ＿ＡＳＴ＿ＡＴＲ９００の詳細内容のひとつであり、当該オーディオストリームが、言語ありか否かが記録されているＡｕｄｉｏ  ｔｙｐｅ９１０、ＶＴＳ＿ＡＳＴ＿ＡＴＲ９００の詳細内容のひとつであり、当該オーディオストリームの特定コードが記録されているＳｐｅｃｉｆｉｃ  ｃｏｄｅ９２０、Ａｕｄｉｏ  ｔｙｐｅ９１０の定義内容９３０、Ｓｐｅｃｉｆｉｃ  ｃｏｄｅ９２０の定義内容９４０、などで構成される。
【００３３】
次に、図１０は、映像・音声フォーマット再生装置を制御するためのナビゲーション・パラメータのひとつであるシステムパラメータの構成を模式的に示す図である。システムパラメータは、タイトルドメイン用のオーディオストリーム番号を格納するＳＰＲＭ[１]１０００、ＳＰＲＭ[１]１０００の詳細内容のひとつであり、タイトルドメイン用のオーディオストリーム番号が格納されるＡＳＴＮ１０１０、ＡＳＴＮ１０１０の定義内容１０２０、などで構成される。
【００３４】
次に、上記構成のＤＶＤ−Ｖｉｄｅｏディスク再生装置のストリーム切り替え動作について詳細に説明する。尚、以下では一例としてオーディオストリームの切り替え動作について説明する。また、以下の実施の形態のすべてのフローチャートにおいて、同一の処理手順は同じ符号を付与し、その説明を省略する。
【００３５】
（実施の形態１）
図１１は、本発明の実施の形態１におけるＤＶＤ−Ｖｉｄｅｏディスク再生装置の、オーディオストリーム切り替え処理手順を示すフローチャートである。
【００３６】
はじめに、映像・音声フォーマット２００の再生を行うと、映像・音声フォーマット２００に記録された管理情報が読み出し手段２１０により読み出されて、管理情報記憶手段２３０内の映像・音声属性情報用メモリ２４０と映像・音声データ管理情報用メモリ２５０に記憶される（ステップＳ１１００）。次に、映像・音声データが読み出し手段２１０を介して映像・音声再生手段２２０に転送され、映像・音声データの再生が開始される（ステップＳ１１１０）。
【００３７】
映像・音声データの再生開始後、再生映像・音声データ制御手段２７０は、リモコンの音声メニューキー３００のユーザー操作による入力があるか否かを判定し（ステップＳ１１２０）、入力がある場合、ステップＳ１１００で記憶したオーディオストリーム数ＶＴＳ＿ＡＳＴ＿Ｎｓ７２０を参照して、オーディオストリームが複数存在するか否かを判定する（ステップＳ１１３０）。オーディオストリームが複数存在する場合、オーディオメニュー再生処理を実行する（ステップＳ１１４０）。一方、オーディオストリームが単一である場合、ユーザーへの報知等の処理（ステップＳ１１５０）を実行するが詳細は後述する。
【００３８】
ここで、オーディオメニュー再生処理（ステップＳ１１４０）の処理内容について説明する。図１２は、本発明の実施の形態１におけるＤＶＤ−Ｖｉｄｅｏディスク再生装置の、オーディオメニュー再生処理手順を示すフローチャートである。まず、ステップＳ１１００にて記憶したＡＭ＿ＥＸＳＴ５２０を参照して、オーディオメニューが存在するか否かを判定する（ステップＳ１２００）。オーディオメニューが存在しない場合、ユーザーへの報知等の処理（ステップＳ１２９０）を実行するが詳細は後述する。
【００３９】
一方、オーディオメニューが存在する場合、オーディオメニューに移行する直前の再生位置情報および再生状態を映像・音声データ管理情報用メモリ２５０に記憶する（ステップＳ１２１０）。次に、オーディオメニュー表示へ移行して（ステップＳ１２２０）、その後、ユーザー操作によるオーディオストリーム決定の入力があるか否かを判定する（ステップＳ１２３０）。入力がある場合、ナビゲーションコマンドのひとつであるボタンコマンドの実行を開始する（ステップＳ１２４０）。また、実行するナビゲーションコマンドが決定した状態において（ステップＳ１２２１）、図３の操作手順１００〜１０３など、正規のルートを介してオーディオメニューを表示していることを前提とした可能性のある、オーディオメニュー上のボタンコマンド等のナビゲーションコマンド（ステップＳ１２２２）については、その実行を制限する（ステップＳ１２２３）。例えば、ボタンコマンドにてＧＰＲＭを用いる場合に、前記ボタンコマンドの実行を禁止することなどが挙げられる。なお、その際にナビゲーションコマンドの実行を行わないことをユーザーに通知してもよい。
【００４０】
次に、ボタンコマンド実行によりＳＰＲＭ［１］１０００が変更されたか否かを判定する（ステップＳ１２５０）。ＳＰＲＭ［１］１０００が変更されたら、ボタンコマンドの実行が最後まで完了していない場合はそれを中断し、次のステップＳ１２６０の処理へ移行する。
【００４１】
次に、再生映像・音声データ制御手段２７０は、ステップＳ１２１０にて記憶した再生位置情報がタイトルドメイン内にあり、且つステップＳ１２１０にて記憶した状態が再生中であるか否かを判定する（ステップＳ１２６０）。いずれの条件も満たしている場合、ステップＳ１２１０で保存した再生位置及び再生状態に復帰して、再生を再開する（ステップＳ１２７０）。
【００４２】
一方、ステップＳ１２１０にて記憶した再生位置情報がタイトルドメイン以外である場合、またはステップＳ１２１０にて記憶した再生位置情報がタイトルドメインであっても再生状態が再生中以外である場合、待機などの処理（ステップＳ１２８０）を実行するが、詳細は後述する。
【００４３】
以上のように、本発明の実施の形態１におけるＤＶＤ−Ｖｉｄｅｏディスク再生装置によれば、例えば、音声メニューキーをリモコンに設け、再生映像・音声データ制御手段２７０の制御によりオーディオメニューを直接表示できるようにした（即ち、音声メニューキー及び再生映像・音声データ制御手段で移行手段を構成した）ことにより、最小限の操作でストリームの切り替えを行うことができる。また、管理情報記憶手段２３０が、ストリーム切り替え直前の再生位置情報及び再生状態を記憶しているため、煩雑なユーザー操作を行うことなく、オーディオメニュー表示直前の再生位置及び再生状態から再生を再開することができる。
【００４４】
尚、本実施の形態では、オーディオメニューに移行するための移行手段として、リモコンに設けた音声メニューキー３００を用いたが（図１１のフローチャートのステップＳ１１２０）、これ以外の特定のキー入力や、リモコンによる特定キーの長押し、またリモコン以外のユーザーインタフェースによる入力などを用いてもよい。
【００４５】
（実施の形態２）
図１３は、オーディオストリーム切り替え時に、管理情報記憶手段２３０に記憶した状態がタイトルドメイン再生中でない場合の処理手順（図１２のフローチャートにおけるステップＳ１２８０）を示すフローチャートである。この処理手順では、保存した再生位置情報がタイトルドメイン以外である場合、または保存した再生位置情報がタイトルドメイン内であっても再生状態が再生中以外である場合に行う処理を示している。
【００４６】
はじめに、管理情報記憶手段２３０に保存した再生位置および再生状態に復帰する（ステップＳ１３００）。この状態は例えば、タイトルメニュー表示状態、ルートメニュー表示状態、タイトルドメイン内での一時停止状態などが考えられる。その後、再生映像・音声データ制御手段２７０は、ユーザー操作またはナビゲーションコマンドによりタイトルドメイン再生状態に移行したか否かを判断する（ステップＳ１３１０）。タイトルドメイン再生状態に移行した場合、ステップＳ１２４０にて変更されたＳＰＲＭ［１］１０００の値が有効となり、再生映像・音声データ制御手段２７０は、ステップＳ１２３０のユーザー操作にて選択されたオーディオストリームの再生を実行する（ステップＳ１３２０）。
【００４７】
以上のように、本発明の実施の形態２におけるＤＶＤ−Ｖｉｄｅｏディスク再生装置によれば、オーディオストリーム切り替え時に、再生映像・音声データ制御手段２７０が、タイトルドメイン再生状態であるか否かを判断し、以降の再生可能となった時点で選択したオーディオストリームを再生するため、煩雑なユーザー操作を行うことなく、適切な時点でユーザーが選択したオーディオストリームの再生を再開させることができる。
【００４８】
（実施の形態３）
図１４は、オーディオストリーム切り替え時に、管理情報記憶手段２３０に記憶した状態がタイトルドメイン再生中でない場合の別の処理手順を示すフローチャートである。この処理手順では、保存した再生位置情報がタイトルドメイン以外である場合、または保存した再生位置情報がタイトルドメイン内であっても再生状態が再生中以外である場合に行う処理を示している。
【００４９】
図１４（ａ）のフローチャートに示すように、はじめに、再生映像・音声データ制御手段２７０は、管理情報記憶手段２３０に保存した再生位置情報がタイトルドメイン内にあるか否かを判定する（ステップＳ１４００）。タイトルドメイン内にある場合、ステップＳ１２１０にて保存した状態が例えば一時停止中など、再生中でなかった場合でも、管理情報記憶手段２３０に保存した再生位置情報に基づいて当該位置から強制的に再生を再開する（ステップＳ１４１０）。
【００５０】
一方、管理情報記憶手段２３０に保存した再生位置情報がタイトルドメイン以外である場合、再生映像・音声データ制御手段２７０は、映像・音声データ管理情報用メモリ２５０にタイトルドメイン復帰時のレジューム情報が格納されているか否かを判定し（ステップＳ１４２０）、レジューム情報がある場合、強制的にタイトルドメイン内のレジューム位置からの再生を開始する（ステップＳ１４３０）。また、レジューム情報がない場合、強制的にタイトル番号１の先頭から再生を開始する（ステップＳ１４４０）。
【００５１】
尚、図１４（ｂ）のフローチャートに示すように、ステップＳ１４４０でタイトル番号１から再生を開始する代わりに、強制的に当該ＶＴＳの先頭タイトルから再生を開始してもよい（ステップＳ１４５０）。
【００５２】
以上のように、本発明の実施の形態３におけるＤＶＤ−Ｖｉｄｅｏディスク再生装置によれば、オーディオストリーム切り替え時に、再生映像・音声データ制御手段２７０が、タイトルドメイン再生状態でない場合にも適切な再生位置から再生を実行するため、オーディオメニュー表示直前の状態が、ユーザーが選択したオーディオストリームを再生できない状態であっても、煩雑なユーザー操作を行うことなく、選択したオーディオストリームを選択した時点から再生させることができる。
【００５３】
（実施の形態４）
図１５は、オーディオストリームが単一である場合にオーディオメニュー表示要求が発生した際の処理手順を示すフローチャートである。この処理手順では、管理情報記憶手段２３０に記憶したオーディオストリーム数ＶＴＳ＿ＡＳＴ＿Ｎｓ７２０が単一である場合に行う処理を示している。
【００５４】
再生映像・音声データ制御手段２７０は、オーディオストリームが単一である旨をユーザーに報知して（ステップＳ１５００）、オーディオメニュー表示へ移行させない。図１９は、ユーザーへの画面報知例を示す図である。ＤＶＤ−Ｖｉｄｅｏディスク再生装置１９００と接続されているモニタ１９１０へメッセージを出力することにより、ユーザーからのオーディオメニュー表示要求が拒否されたことを通知する。その際のメッセージの内容は、メッセージ１９２０のようにオーディオストリームが単一である旨を通知してもよいし、メッセージ１９３０のように禁止マークの表示のみとしてもよい。また、図１９に示す報知方法以外にも、ＦＬ管やその他の出力装置への報知を行ってもよい。
【００５５】
以上のように、本発明の実施の形態４におけるＤＶＤ−Ｖｉｄｅｏディスク再生装置によれば、ユーザーからのオーディオメニュー表示要求時に、再生映像・音声データ制御手段２７０が、オーディオストリーム数を判断し、ストリーム数が１の場合にはメニュー表示へ移行させないため、ユーザー選択が不可能な状態にもかかわらずオーディオメニューを表示するという不必要な操作を防止することができる。
【００５６】
（実施の形態５）
図１６は、オーディオメニューが存在しない場合にオーディオメニュー表示要求が発生した際の処理手順を示すフローチャートである。この処理手順では、管理情報記憶手段２３０に記憶したＡＭ＿ＥＸＳＴ５２０を参照して、オーディオメニューが存在しない場合に行う処理を示している。
【００５７】
再生映像・音声データ制御手段２７０は、オーディオメニューが存在しない旨をユーザーに報知して（ステップＳ１６００）、オーディオメニュー表示へ移行させない。図１９は、ユーザーへの画面報知例を示す図である。ＤＶＤ−Ｖｉｄｅｏディスク再生装置１９００と接続されているモニタ１９１０へメッセージを出力することにより、ユーザーからのオーディオメニュー表示要求が拒否されたことを通知する。その際のメッセージの内容は、メッセージ１９４０のようにオーディオメニューが存在しない旨を通知してもよいし、メッセージ１９５０のように禁止マークの表示のみとしてもよい。また、図１９に示す報知方法以外にも、ＦＬ管やその他の出力装置への報知を行ってもよい。
【００５８】
以上のように、本発明の実施の形態５におけるＤＶＤ−Ｖｉｄｅｏディスク再生装置によれば、ユーザーからのオーディオメニュー表示要求時に、再生映像・音声データ制御手段２７０が、オーディオメニューの有無を判断し、メニューが存在しない場合にはその旨を報知するため、ユーザーは、オーディオメニューからのオーディオストリーム選択が行えないことを認識できる。
【００５９】
（実施の形態６）
図１７は、オーディオメニューが存在しない場合にオーディオメニュー表示要求が発生した際の別の処理手順を示すフローチャートである。この処理手順では、管理情報記憶手段２３０に記憶したＡＭ＿ＥＸＳＴ５２０を参照して、オーディオメニューが存在しない場合に行う処理を示している。
【００６０】
はじめに、再生映像・音声データ制御手段２７０は、管理情報記憶手段２３０に記憶したＲＯＯＴＭ＿ＥＸＳＴ５１０を参照して、ルートメニューが存在するか否かを判定する（ステップＳ１７００）。ルートメニューが存在する場合、オーディオメニューの代わりにルートメニューを表示する（ステップＳ１７１０）。一方、オーディオメニューとルートメニューのどちらも存在しない場合、オーディオメニューが存在しない旨をユーザーに報知する（図１６のフローチャートにおけるステップＳ１６００の処理と同じ）。
【００６１】
以上のように、本発明の実施の形態６におけるＤＶＤ−Ｖｉｄｅｏディスク再生装置によれば、ユーザーからのオーディオメニュー表示要求時に、再生映像・音声データ制御手段２７０が、オーディオメニューの有無を判断し、メニューが存在しない場合にはルートメニューを表示させるため、例えば、ルートメニュー上にオーディオストリームを選択できるメニューが記録されているような場合に、ユーザーはそのメニューからオーディオストリームを選択することができる。
【００６２】
（実施の形態７）
図１８は、本発明の実施の形態７におけるＤＶＤ−Ｖｉｄｅｏディスク再生装置の、オーディオストリーム指定時のオーディオストリーム切り替え処理手順を示すフローチャートである。
【００６３】
映像・音声フォーマットに記録された管理情報を取得して（ステップＳ１１００）、映像・音声の再生が開始されると（ステップＳ１１１０）、再生映像・音声データ制御手段２７０は、ユーザー操作によるオーディオストリームの指定入力（例えば、図２に示すリモコンの音声選択エリアにおける日本語キー３２０、英語キー３３０、その他のオーディオストリーム選択キー３４０など）があるか否かを判定する（ステップＳ１８００）。オーディオストリームの指定入力がある場合、再生映像・音声データ制御手段２７０は、管理情報記憶手段２３０に記憶したＡｕｄｉｏ  ｔｙｐｅ９１０及びＳｐｅｃｉｆｉｃ  ｃｏｄｅ９２０を参照して、ユーザー操作により選択されたオーディオストリームが存在するか否かを判定する（ステップＳ１８１０）。
【００６４】
選択されたオーディオストリームが存在する場合、再生映像・音声データ制御手段２７０は、入力されたキーが日本語キー３２０または英語キー３３０であるか否かを判定する（ステップＳ１８２０）。日本語キー３２０もしくは英語キー３３０のいずれかである場合、管理情報記憶手段２３０に記憶したＶＴＳ＿ＡＳＴ＿ＡＴＲＴ７３０を参照して、選択された言語に該当するオーディオストリーム番号を導き、それをＳＰＲＭ［１］１０００に格納する（ステップＳ１８３０）。また、入力されたキーが日本語キー３２０または英語キー３３０のいずれでもない場合、再生映像・音声データ制御手段２７０は、上述のオーディオメニュー再生処理へ移行して（ステップＳ１１４０）、所定の音声ストリームをユーザー選択させる。
【００６５】
一方、ユーザー操作により選択されたオーディオストリームが存在しない場合、選択されたオーディオストリームが存在しない旨をユーザーに報知する（ステップＳ１８４０）。図１９は、ユーザーへの画面報知例を示す図である。ＤＶＤ−Ｖｉｄｅｏディスク再生装置１９００と接続されているモニタ１９１０へメッセージを出力することにより、ユーザーからのオーディオストリーム切り替え要求が拒否されたことを通知する。その際のメッセージの内容は、メッセージ１９６０のように選択されたオーディオストリームが存在しない旨を通知してもよいし、メッセージ１９７０のように禁止マークの表示のみとしてもよい。また、図１９に示す報知方法以外にも、ＦＬ管やその他の出力装置への報知を行ってもよい。
【００６６】
尚、本実施の形態ではステップＳ１８００におけるオーディオストリームを切り替えるためのユーザー操作として、リモコンの日本語キー３２０、英語キー３３０、その他のオーディオストリーム選択キー３４０の入力を例に説明したが、これ以外の特定のキー入力や、リモコンによる特定キーの長押し、またリモコン以外のユーザーインタフェースによる入力などとしてもよい。また、ユーザー操作による直接的なオーディオストリーム切り替えを可能にするリモコンキーは、日本語や英語だけに限定されるものではない。
【００６７】
以上のように、本発明の実施の形態７におけるＤＶＤ−Ｖｉｄｅｏディスク再生装置によれば、例えば、「日本語」や「英語」などの特定のオーディオストリームを指定するキーをリモコンに設け、再生映像・音声データ制御手段２７０の制御によりオーディオストリームを直接指定できるようにした（即ち、音声選択エリア内の各キー及び再生映像・音声データ制御手段で切り替え手段を構成した）ことにより、オーディオストリームを直感的に選択し、最小限の操作でストリームの切り替えを行うことができる。つまり、ユーザーは、リモコン上に記載されたキー名から目的とする音声（言語）を容易に把握でき、各言語に対応するオーディオストリーム番号を認識していなくとも、対応するオーディオストリームを容易に選択することができる。また、再生映像・音声データ制御手段２７０は、オーディオストリーム数が１の場合にその旨を報知するため、ユーザーは、オーディオストリームの選択が行えないことを認識できる。
尚、本実施の形態では、オーディオメニューに移行するための移行手段として、リモコンに設けた音声メニューキー３００を用いたが（図１１のフローチャートのステップＳ１１２０）、これ以外の特定のキー入力や、リモコンによる特定キーの長押し、またリモコン以外のユーザーインタフェースによる入力などを用いてもよい。
【００６８】
ところで、以上の実施の形態では、オーディオストリームの切り替えに関する動作について説明したが、同一構成のＤＶＤ−Ｖｉｄｅｏディスク再生装置で、サブピクチャストリームやアングルについても同様の切り替え動作を行うことができることは言うまでもない。その場合、例えば、リモコン（図２参照）のメニュー画面エリアの字幕メニューキーやアングルメニューキーを操作して直接メニュー表示に移行させたり、更に、字幕選択エリアやアングル選択エリアの各キーを操作してストリームの選択を直接実行させたりすることができる。
【産業上の利用可能性】
【００６９】
本発明の映像・音声フォーマット再生装置、映像・音声フォーマット再生方法及びプログラムは、同一時間に再生可能となるように配置された複数のストリームを含む映像・音声フォーマットで記録された情報記録媒体の再生において、各種ストリームを直感的に選択し、最小限のユーザー操作で容易にストリームの切り替えが行えるという効果を有し、ユーザー操作性の向上において有効である。
【符号の説明】
【００７０】
２００  映像・音声フォーマット
２１０  読み出し手段
２２０  映像・音声再生手段
２３０  管理情報記憶手段
２４０  映像・音声属性情報用メモリ
２５０  映像・音声データ管理情報用メモリ
２６０  入力手段
２７０  再生映像・音声データ制御手段
３００  音声メニューキー
３１０  音声選択エリア
３２０  日本語キー
３３０  英語キー
３４０  その他キー
４００  ＶＴＳＭ＿ＰＧＣＩ＿ＵＴ
４１０  ＶＴＳＭ＿ＬＵ＿ＳＲＰ
４２０  ＶＴＳＭ＿ＰＧＣＩ＿ＳＲＰ
４３０  ＶＴＳＭ＿ＰＧＣＩ
５００  ＶＴＳＭ＿ＥＸＳＴ５００
５１０  ＲＯＯＴＭ＿ＥＸＳＴ
５２０  ＡＭ＿ＥＸＳＴ
５３０  ＲＯＯＴＭ＿ＥＸＳＴ５１０の定義内容
５４０  ＡＭ＿ＥＸＳＴ５２０の定義内容
６００  ＶＴＳＭ＿ＰＧＣ＿ＣＡＴ
６１０  Ｅｎｔｒｙ  ｔｙｐｅ
６２０  Ｍｅｎｕ  ＩＤ
６３０  Ｅｎｔｒｙ  ｔｙｐｅ６１０の定義内容
６４０  Ｍｅｎｕ  ＩＤ６２０の定義内容
７００  ＶＴＳＩ
７１０  ＶＴＳＩ＿ＭＡＴ
７２０  ＶＴＳ＿ＡＳＴ＿Ｎｓ
７３０  ＶＴＳ＿ＡＳＴ＿ＡＴＲＴ
８００  Ｎｕｍｂｅｒ  ｏｆ  Ａｕｄｉｏ  ｓｔｒｅａｍｓ
８１０  Ｎｕｍｂｅｒ  ｏｆ  Ａｕｄｉｏ  ｓｔｒｅａｍｓ８００の定義内容
９００  ＶＴＳ＿ＡＳＴ＿ＡＴＲ
９１０  Ａｕｄｉｏ  ｔｙｐｅ
９２０  Ｓｐｅｃｉｆｉｃ  ｃｏｄｅ
９３０  Ａｕｄｉｏ  ｔｙｐｅ９１０の定義内容
９４０  Ｓｐｅｃｉｆｉｃ  ｃｏｄｅ９２０の定義内容
１０００  ＳＰＲＭ[１]
１０１０  ＡＳＴＮ
１０２０  ＡＳＴＮ１０１０の定義内容
１９００  ＤＶＤ−Ｖｉｄｅｏディスク再生装置
１９１０  モニタ
１９２０  メッセージ
１９３０  メッセージ
１９４０  メッセージ
１９５０  メッセージ
１９６０  メッセージ
１９７０  メッセージ
【図１】
2010015687.tif 000003
【図２】
2010015687.tif 000004
【図３】
2010015687.tif 000005
【図４】
2010015687.tif 000006
【図５】
2010015687.tif 000007
【図６】
2010015687.tif 000008
【図７】
2010015687.tif 000009
【図８】
2010015687.tif 000010
【図９】
2010015687.tif 000011
【図１０】
2010015687.tif 000012
【図１１】
2010015687.tif 000013
【図１２】
2010015687.tif 000014
【図１３】
2010015687.tif 000015
【図１４】
2010015687.tif 000016
【図１５】
2010015687.tif 000017
【図１６】
2010015687.tif 000018
【図１７】
2010015687.tif 000019
【図１８】
2010015687.tif 000020
【図１９】
2010015687.tif 000021